(57)【要約】【課題】増毛用毛髪を結び付けた自毛が伸長して、繰り返しして増毛用毛髪を使用することができる増毛方法を提供すること。【解決手段】  緊締可能に形成した輪部を有する複数本の毛髪からなる増毛用毛髪を輪部中に自毛を挿通し緊締して増毛する増毛方法であって、増毛用毛髪の端部の輪部は、自毛が伸長する度に可及的に頭皮に近い自毛の基端部までスライドすると共に、自毛の直上部で増毛用毛髪の輪部に近接して自毛結び目を形成することを特徴とする増毛方法である。【選択図】図１
2014065981.tif 000002
【特許請求の範囲】
【請求項１】
緊締可能に形成した輪部を有する複数本の毛髪からなる増毛用毛髪を輪部中に自毛を挿通し緊締して増毛する増毛方法であって、
増毛用毛髪の端部の輪部は、自毛が伸長する度に可及的に頭皮に近い自毛の基端部までスライドすると共に、自毛の直上部で増毛用毛髪の輪部に近接して自毛結び目を形成することを特徴とする増毛方法。
【請求項２】
潤滑剤又はトリートメント剤を自毛表面に塗布することにより、前記増毛用毛髪の輪部を頭皮に近い自毛の基端部までスライドしやすくすることを特徴とする請求項１に記載の増毛方法。
【請求項３】
自毛が伸長する度に自毛結び目を所定間隔を有して自毛上に複数形成することを特徴とする請求項１又は請求項２に記載の増毛方法。
【発明の詳細な説明】
【技術分野】
【０００１】
この発明は増毛方法、詳しくは増毛用の毛髪を自毛に結び付けることで増毛可能とする増毛技術に関する。
【背景技術】
【０００２】
従来、複数本の毛髪からなる増毛用毛髪を頭皮から伸びる自毛に結び付けることで増毛可能とする増毛方法が知られている。すなわち、その先端に輪部を形成した増毛用毛髪を用いて、その輪部内に自毛を挿通すると共に輪部を頭皮側までスライドさせて、輪部を絞って自毛周辺に締付固定することで増毛する方法である。
【０００３】
前記増毛用毛髪は、人工用毛髪や人毛を自毛に結び付ける方法であるので、見た目に自毛と変わりないように増毛可能であり、しかもその増毛方法が簡便である。したがって、従来のような部分的なかつらを装着することなく、増毛していることが人に気づかれないメリットを有する。また、その増毛方法において、増毛用毛髪が自毛から簡単には抜けないような増毛技術が開発されている。
【０００４】
例えば、下記特許文献１にはかかる増毛方法が開示されている。すなわち、特許文献１には、輪部を介して増毛用毛髪を自毛に結び付けた後に、輪部より離れた上方の位置、すなわち、自毛結び目が手動で形成しやすい位置（図１に示す頭皮から長さＬ離れた位置）に自毛結び目を形成し、増毛用毛髪が自毛結び目より先にスライドしないようにすることにより、増毛用毛髪の輪部に接着剤などの固着用の部材を用いることなく、長期にわたって増毛用毛髪が自毛から外れないようにした増毛方法が開示されている。
【先行技術文献】
【特許文献】
【０００５】
【特許文献１】特公平７−９６７２２号公報
【発明の概要】
【発明が解決しようとする課題】
【０００６】
しかしながら、上記特許文献１にかかる増毛方法では、増毛用毛髪の輪部を自毛先端側に抜けないようにする技術を開示するものであり、増毛用毛髪の輪部を頭皮側に戻して固定できるものではなかった。すなわち、上記特許文献１にかかる増毛方法では、頭皮より離れた位置で自毛結び目を形成するものであり、増毛用毛髪の輪部を頭皮側に戻しても、その後に増毛用毛髪の輪部が緩むなどしてストッパーとなる自毛結び目までスライドするおそれがあった。
【０００７】
また、上記特許文献１にかかる増毛方法において、自毛に傷み等があると、増毛用毛髪の輪部を頭皮側に戻すことが困難である場合が生じていた。すなわち、自毛の傷みが摩擦となって、前記増毛用毛髪を頭皮側に戻すときに自毛途中で引っ掛けてしまう問題があった。また、自毛が細い人や軟質の人の場合には、自毛にコシやハリが少ないので、前記増毛用毛髪の輪部を頭皮側にスムーズに戻すことが困難であった。
【０００８】
したがって、自毛上で増毛用毛髪の輪部を頭皮側に戻すことができない場合には、このまま自毛に結び付いた状態で保持し、自毛はある程度伸長した後で所定長さカットされていた。同時に、増毛用毛髪はカットした自毛に緊締固定した状態で捨てられてしまい、そのまま継続して使用することができなかった。
【０００９】
そこで、本願発明は、前記課題を解決するためになされたもので、増毛用毛髪を結び付けた自毛が伸長しても、増毛用毛髪を頭皮側にスムーズに戻すと共に、戻した増毛用毛髪を頭皮側で固定することができる増毛方法を提供することを目的としている。
【課題を解決するための手段】
【００１０】
請求項１に記載の発明は、緊締可能に形成した輪部を有する複数本の毛髪からなる増毛用毛髪を輪部中に自毛を挿通し緊締して増毛する増毛方法であって、増毛用毛髪の端部の輪部は、自毛が伸長する度に可及的に頭皮に近い自毛の基端部までスライドすると共に、自毛の直上部で増毛用毛髪の輪部に近接して自毛結び目を形成することを特徴とする増毛方法を提供せんとする。
【００１１】
また、請求項２に記載の発明は、潤滑剤又はトリートメント剤を自毛表面に塗布することにより、前記増毛用毛髪の輪部を頭皮に近い自毛の基端部までスライドしやすくすることを特徴とする請求項１に記載の増毛方法である。
【００１２】
また、請求項３に記載の発明は、自毛が伸長する度に自毛結び目を所定間隔を有して自毛上に複数形成することを特徴とする請求項１又は請求項２に記載の増毛方法である。
【発明の効果】
【００１３】
請求項１に記載の発明によれば、時間の経過により自毛が伸長しても、自毛結び目を可及的に頭皮直上、すなわち、一旦自毛根元まで戻した増毛用毛髪の輪部の上に隣接した位置で容易に形成することができるので  増毛用毛髪がスライドするのを防止するストッパーとしての機能を充分に果たすことができる。
【００１４】
従って、自毛の伸長毎に再度新しい増毛用毛髪を用いて増毛施術を施す必要がなく、増毛用毛髪を単に自毛の根元に戻すだけで何度も増毛用毛髪を使用することができ、経済的に増毛技術を用いることができる効果がある。
【００１５】
また、請求項１に記載の発明によれば、期間の経過後に自毛が所定長さ伸びた状態でも、増毛用毛髪の端部の輪部は、自毛が伸長する度に可及的に頭皮に近い自毛の基端部までスライドして使用することができる。そして、自毛の直上部で増毛用毛髪の輪部に近接して例えば毛巻き杆により自毛結び目を形成し、自毛が伸長した分をカットさえすれば、増毛用毛髪をそのまま継続して使用することができる効果を有する。
【００１６】
また、請求項２に記載の発明によれば、自毛表面に潤滑剤やトリートメントを塗布するので、増毛用毛髪の輪部が滑りやすい自毛表面とすることができ、増毛用毛髪の輪部を頭皮側にスライドしやすくできる効果を有する。したがって、自毛が軟質の人、コシ若しくはハリの少ない自毛を有する人に対しても、自毛表面に前記潤滑剤等を塗布すれば、増毛用毛髪の輪部をスムーズに戻すことができる。また、増毛用毛髪を頭皮側に戻す作業性も向上する。
【００１７】
また、請求項３に記載の発明によれば、所定期間伸長する度に自毛結び目を形成し、所定間隔を有して自毛上に自毛結び目を複数形成することで、自毛にコシを持たせることができる。これにより、増毛用毛髪を結び付ける土台となる自毛自体を強化することができる。また、自毛に複数の自毛結び目を形成することで、増毛用毛髪を頭皮側に戻すときに、自毛と増毛用毛髪との見分けが容易になる。
【図面の簡単な説明】
【００１８】
【図１】本実施形態における自毛が伸びた後で適用する増毛方法を説明する説明図である。
【図２】本実施形態における本実施形態における増毛方法が適用される着用者Ａの頭部と増毛用道具の使用状態を示した説明図である。
【図３】本実施形態における増毛用毛髪を自毛に取り付ける方法を説明する説明図である。
【図４】本実施形態における増毛用毛髪を自毛に取り付ける方法を説明する説明図である。
【図５】本実施形態における毛巻き杆の構造を示した説明図である。
【図６】本実施形態における毛巻き杆の構造を示した説明図である。
【図７】本実施形態における毛巻き杆を用いて自毛結び目を形成する状態を示した説明図である。
【図８】本実施形態における増毛方法において自毛に潤滑剤を塗布する状態を説明した説明図である。
【発明を実施するための形態】
【００１９】
以下、本実施形態における増毛方法について図面に基づき詳説する。
【００２０】
まず、時間の経過により自毛１１が伸長した場合について説明する。図１（ａ）は自毛１１が伸長した状態を示した説明図である。
【００２１】
図１（ａ）に示すように、時間の経過により自毛１１は所定の長さ伸びてしまうと、増毛用毛髪１０の輪部１２も伸長した自毛１１の途中に位置することになる。すなわち、時間の経過により、自毛１１が伸びることで増毛用毛髪１０の輪部１２が頭皮Ｈより離れた位置にある。
【００２２】
従来では、このように自毛１１が伸びてしまった状態でこのまま放置してしまうと、自毛１１はある程度伸長した後で所定長さカットされると同時に、増毛用毛髪１０はカットした自毛１１に緊締した状態で捨てられていた。
【００２３】
特に、高品位の増毛用毛髪１０を捨てることになると、新たに増毛用毛髪１０を準備して装着する必要があり、増毛する度に新たに装着する増毛用毛髪１０が必要となって不経済であった。
【００２４】
そこで、本実施形態における増毛方法では、自毛１１が時間の経過により伸長しても、増毛用毛髪１０を自毛１１の頭皮Ｈ側に戻すものである。
【００２５】
また、毛巻き杆１ａを使用することで、新たな自毛結び目２２ｂを頭皮Ｈ側に可及的に近接した位置で形成するようにして、増毛用毛髪１０を何度も使用できるようしている。
【００２６】
以下、図１（ｂ）〜図１（ｆ）を参照して増毛用毛髪１０を自毛１１の頭皮Ｈ側に戻す方法について詳説する。
【００２７】
図１（ｂ）は増毛用毛髪１０を頭皮Ｈ側に戻す直前の状態を示した説明図である。また、図１（ｃ）は、増毛用毛髪１０を頭皮Ｈ側に戻した状態を示した説明図である。図１（ｄ）は毛巻き杆１ａで新たな自毛結び目２２ｂの輪を形成する状態を示した説明図である。また、図１（ｅ）は自毛１１が伸長した分をカットする状態を示した説明図である。また、図１（ｆ）は自毛１１カット後の増毛用毛髪１０の輪部１２上で新たな自毛結び目２２ｂを形成した状態を示した説明図である。
【００２８】
まず、図１（ａ）に示すように、自毛１１は、時間の経過により所定の長さ伸びてしまうと、増毛用毛髪１０の輪部１２も緊締した状態で頭皮Ｈに対して自毛１１の途中に位置している。この状態で、着用者に増毛用道具を使用して本実施形態における増毛方法を適用する。
【００２９】
図２は、本実施形態における増毛方法が適用される着用者Ａの頭部と増毛用道具の使用状態を示した図面である。
【００３０】
図１に示す増毛方法を適用するにあたって、図２に示すように、着用者Ａの後頭部側の髪をダッカールピン１９で留めておく。また、ダッカールピン１９を用いて髪と共に白い布２１の上部を留め、その白い布２１を後頭部に垂らしておく。白い布２１を垂らすことで増毛を施す自毛１１を判別しやすいようにしている。
【００３１】
そして、タッピ１４のフック部１６で自毛１１を１本選択して取り出しておく。取り出した自毛１１は図３に示す白い布２１上に載置しておく。
【００３２】
ここで、タッピ１４は、図２に示すように、先端にフック部１６を有する。すなわち、タッピ１４は、手で把持する把持部１５と、把持部１５の先端にＪ字状のフック部１６を配設して自毛１１や増毛用毛髪１０を係止できるように構成している。また、タッピ１４は、Ｊ字状のフック部１６先端を閉じるようにベラ部２０をフック部１６基端部に回動自在に取り付けて構成している。
【００３３】
次に、トレーに保持されている増毛用毛髪１０を１セット取り出して準備する。そして、図２に示すように、タッピ１４を用いてそのフック部１６で増毛用毛髪１０の輪部１２を引っ掛け、ベラ部２０を閉じた状態にしてフック部１６で輪部１２を保持するようにしている。
【００３４】
ここで、増毛用毛髪１０は、複数本の毛髪１３からなり、毛髪は人毛、または人工的に形成された人工毛である。その増毛用毛髪１０の毛髪１３本数は限定されない。例えば、１本の自毛１１に対して、増毛用毛髪１０の毛髪部分１３を２本にしたり、４本にしたりすることができる。
【００３５】
また、増毛用毛髪１０は、複数の毛髪１３を束ねて、その中間を大きな輪を作って結び目を形成し、その輪を輪部１２とする。その輪部１２は、その輪部１２内に自毛１１を挿通させて緊締させることで自毛１１に固定できるように形成されている。
【００３６】
さらに、増毛用毛髪１０は、その毛髪全体を例えば２２０℃の熱に耐えられる高品位の素材で形成すれば、ドライヤーやヘアーアイロン等の熱により変形・変質を防ぐことができる。
【００３７】
また、形状が記憶できるような増毛用毛髪１０を使用すれば、髪をセットするセット力にすぐれ、ボリューム感も増すことができる。
【００３８】
次に、本実施形態では増毛用毛髪１０を頭皮Ｈ側に戻すようにする。すなわち、増毛用毛髪１０の結び目としての輪部１２内にタッピ１４のフック部１６先端を係止して、増毛用毛髪１０の毛髪部分１３を手で支持しながらタッピ１４を手元に引張る等して輪部１２を緩める。又は輪部１２を緩めずそのままの状態としている。
【００３９】
増毛用毛髪１０の輪部１２を緊締した状態（又は輪部１２を緩めた状態）で、図１（ｂ）に示すように、増毛用毛髪１０の結び目としての輪部１２を頭皮Ｈ側に戻してやる。具体的な戻し方は、後で詳細に説明する。
【００４０】
上記輪部１２を緩めた場合には、増毛用毛髪１０の二又の先端部分１３を上方に引っ張り上げることにより、頭皮Ｈに可及的に近接した位置において輪部１２を再度緊締させて自毛１１の根元位置に増毛用毛髪１０を結び付ける。図１（ｃ）に示すように、この状態では、前回形成した自毛結び目２２ａはそのままで頭皮Ｈ側より離れた位置に残存している。
【００４１】
この後、図１（ｄ）に示すように、上記毛巻き杆１ａを頭皮Ｈに当接するように可及的に近接させて、新たな自毛結び目２２ｂを自毛１１上の可及的に頭皮Ｈに近い位置で形成する。新たな自毛結び目２２ｂは以下の方法により形成する。
【００４２】
増毛用毛髪１０は、人体から直接伸びる毛ではないので、常に一定の長さを保持している。このため、自毛１１は、その先端が増毛用毛髪１０の先端よりも時間の経過分の長さ（図１（ｅ）に示すＴ１）だけ突出する。その伸びた分（図１（ｅ）に示すＴ１）は美容院等でカットすればよい。したがって、自毛１１が伸びたら、上記図１（ａ）〜図１（ｄ）に示すメンテナンスをした後、美容院でのカットにより同じ増毛用毛髪１０を何度も使用できる。
【００４３】
このようにして、図１（ｆ）に示すように、増毛用毛髪１０を自毛１１の根元に戻した後は前述の初期の自毛結び目形成手順で当初の結び目２２ａはそのまま残存した状態で新たに頭皮Ｈに近い増毛用毛髪１０の輪部１２の直上位置で新たな自毛結び目２２ｂを形成し、増毛用毛髪１０を何度も繰り返して使用できることになる。
【００４４】
しかも、高品位の増毛用毛髪１０を装着している場合であっても、長期間使用しても傷みが生じにくい高品位の増毛用毛髪１０の特質を生かしながらそれを何度も使用することができる効果を有する。
【００４５】
このようにすることで、自毛１１が伸長してもスライド変位させた増毛用毛髪１０は何度でも使用し得ることになり、経済的である。しかも、自毛１１に残存した当初の結び目２２ａは自毛１１がある程度伸長すると、美容院でカットされることになる。
【００４６】
具体的に、増毛用毛髪の戻し方法を図３（ａ）〜図３（ｃ）を参照して詳細に説明する。
【００４７】
図２は増毛用毛髪を頭皮Ｈ側にスライドさせる方法の説明図であり、図３（ａ）は増毛用毛髪１０の輪部１２を絞った状態を示した説明図である。図３（ｂ）は増毛用毛髪１０の輪部１２を頭皮Ｈ側にスライドさせる状態を示した説明図である。図３（ｃ）は増毛用毛髪１０の輪部１２を頭皮Ｈ側で緊締させた状態を示した説明図である。
【００４８】
まず、図３（ａ）に示すように、増毛用毛髪１０の二又（あるいはそれ以上）の毛髪部分１３を一方の手の親指と人差し指で掴んで引張り上げる。
【００４９】
次に、図３（ｂ）に示すように、自毛１１先端を他方の手の親指と人差し指で掴みながら、増毛用毛髪１０の二又の毛髪部分１３を一方の手の親指と人差し指で掴んで引張ることで、増毛用毛髪１０の輪部１２を頭皮Ｈ側にスライドさせる。
【００５０】
この後、図３（ｃ）に示すように、頭皮Ｈ側において結び目としての輪部１２を緊締させて自毛１１に増毛用毛髪１０を結び付けることができる。このような増毛用毛髪１０の頭皮Ｈ側への戻し方法において、以下に示すような自毛１１表面に潤滑剤Ｓ等を塗布すると、より増毛用毛髪１０の戻しがスムーズに行える。
【００５１】
図４は、自毛表面に潤滑剤Ｓを塗布する状態を示す説明図である。
すなわち、図４に示すように、自毛１１に潤滑剤Ｓを塗布することで、増毛用毛髪１０を輪部１２が自毛１１上をスライドしやすくすることができる。すなわち、自毛１１に潤滑剤Ｓを塗布することで自毛１１表面を滑りやすい状態にすることができ、これにより自毛１１上を増毛用毛髪１０の輪部１２が滑りやすくなる。したがって、自毛１１が細い人や軟質の人でも、自毛１１表面を滑りやすくして増毛用毛髪１０を頭皮Ｈ側にスライドしやすくできる。
【００５２】
なお、自毛１１表面に塗布する潤滑剤Ｓとして、その素材は限定されず、例えばシリコンを含有するものが挙げられる。または、増毛用毛髪１０を頭皮Ｈ側に戻す前に洗髪し、その洗髪時に自毛１１表面に滑りを良くするようなトリートメント剤を使用してもよい。トリートメント剤は、傷んだ自毛１１にコシ、ハリや潤いを与えるので効果的である。
【００５３】
次に、本実施形態の増毛方法で使用する自毛結び目形成具となる毛巻き杆１ａの構造について説明する。図５は、本実施形態における毛巻き杆１ａの構造を説明する説明図である。
【００５４】
図５に示すように、毛巻き杆１ａは、把持部２と、把持部２の先端側に毛巻き棒状体４ａを設けたものである。
【００５５】
毛巻き棒状体４ａは、自毛１１を巻き付けて輪状とした毛巻き部１７を周方向に形成するものであり、その本体を棒状体に構成したものである。
【００５６】
また、毛巻き杆１ａは長手棒状に形成した毛巻き棒状体４ａを備えている。毛巻き棒状体４ａは、自毛１１を周囲に巻き付けて輪状とした毛巻き部１７を周方向に形成するように棒状に形成している。
【００５７】
すなわち、図５に示すように、毛巻き棒状体４ａは、毛巻き棒状体４ａの基端側の断面は長円形状としている。その断面長円形状を有する毛巻き棒状体４ａ基端側の表面には断面凹状部を形成している。この断面凹状部は、毛巻き棒状体４ａ本体の周面にタッピ１４のフック部１６（図６に示す）が挿通可能な溝部Ｍとしている。そして、この溝部Ｍにおいてタッピ１４のフック部１６が挿通することで自毛結び目２２ａを形成可能とする結び目形成部７ａとしている。
【００５８】
図５に示すように、毛巻き杆１ａでは、溝部Ｍは、毛巻き棒状体４ａの長手方向に沿って形成し、断面Ｕ字形状の溝を有するように形成している。なお、溝部Ｍの形状はこれに限られず、断面逆三角形状の溝に形成することもできる。
【００５９】
また、毛巻き棒状体４ａは、頭皮Ｈに可及的に近接できるように、先端６ａを先鋭状にして長手棒状に構成している。しかも、毛巻き棒状体４ａは、自毛結び目２２ａを徐々に小さな輪となる結び目の輪になるように毛巻き棒状体４ａから下方にスライドしていくように先端６ａを先鋭状にしている。
【００６０】
図６は、毛巻き杆１ａの毛巻き棒状体４ａの周囲で自毛１１を巻き付けて輪状の毛巻き部１７を形成した状態を示す説明図である。
このようにして、本実施形態における毛巻き杆１ａは、図６に示すように、毛巻き棒状体４ａの周囲で自毛１１を巻き付けて輪状の毛巻き部１７を形成し、毛巻き棒状体４ａ表面の溝部Ｍにタッピ１４のフック部１６を挿通し、タッピ１４のフック部１６で自毛１１先端を係止しながら毛巻き部１７内に挿通することで、結び目形成部７ａにおいて自毛結び目２２ａを形成できるように構成している。
【００６１】
次に、図７（ａ）〜図７（ｅ）を参照して毛巻き杆１ａを使用した結び目形成方法について詳説する。
【００６２】
図７（ａ）は毛巻き杆１ａを用いて自毛による毛巻き部１７を形成した状態を示した説明図である。また、図７（ｂ）はタッピ１４のフック部１６で自毛１１先端側を係止した状態を示した説明図である。また、図７（ｃ）は、タッピ１４を用いて毛巻き部１７内に自毛１１先端を挿通させた状態を示した説明図である。また、図７（ｄ）は自毛結び目２２ａを頭皮Ｈ側にスライドする状態を示した説明図である。また、図７（ｅ）は自毛結び目２２ａを形成した後に毛巻き杆１ａを引き抜く状態を示した説明図である。また、図７（ｆ）は増毛用毛髪１０の輪部１２上で自毛結び目２２ａを形成させた状態を示した説明図である。
【００６３】
まず、図７（ａ）に示すように、本実施形態における毛巻き杆１ａを使用して、毛巻き杆１ａの先端６ａを頭皮Ｈに当接するように可及的に近接させる。そして、毛巻き棒状体４ａの周囲を取り囲むように自毛１１による輪状の毛輪を形成し、この毛輪を毛巻き部１７とする。
【００６４】
次いで、図７（ｂ）に示すように、この毛巻き部１７内に結び目形成の要領で自毛１１先端を挿通する。すなわち、タッピ１４のフック部１６を溝部Ｍに挿入し、溝部Ｍに形成した結び目形成部７ａにおいて自毛１１をフック部１６で係止する。
【００６５】
そして、自毛１１をフック部１６で係止しながら毛巻き部１７内に自毛１１先端側を挿通する。これにより、図７（ｃ）に示すように、大きな結び目の輪としての自毛結び目２２ａを形成する。
【００６６】
なお、図７（ａ）〜図７（ｃ）に示すように、毛巻き杆１ａは当初より頭皮Ｈ側に近接させているが、毛巻き杆１ａの先端６ａを頭皮Ｈから離した状態で図７（ｃ）に示す自毛結び目２２ａの輪を形成した後に、毛巻き杆１ａの先端６ａを頭皮Ｈ側に近接させるようにしてもよい。
【００６７】
この後、図７（ｄ）に示すように、毛巻き杆１ａを自毛１１の根元に近づけて自毛１１先端を引張り上げながら毛巻き杆１ａを上方に引き上げながら、毛巻き棒状体４ａ上に形成された自毛結び目２２ａを徐々に小さな輪となる結び目の輪になるように毛巻き棒状体４ａから下方にスライドしていく。
【００６８】
同時に、図７（ｅ）に示すように、自毛１１を同時に上方に引っ張り上げながら、毛巻き棒状体４ａの周面に小さい輪を作っていき、ガイド棒５の先端６ａまで押下げて可及的に近い位置まで変位させて、この位置で毛巻き杆１ａを引き抜くことで自毛結び目２２ａのための輪を絞って結び目を形成する。この状態では自毛結び目２２ａは増毛用毛髪１０の輪部１２の直上にあり、増毛用毛髪１０の抜けを防止するストッパーとして機能する。
【００６９】
これにより、図７（ｆ）に示すように、自毛結び目２２ａが増毛用毛髪１０の輪部１２に隣接して形成される。このようにして、増毛用毛髪１０の輪部１２に隣接して自毛結び目２２ａが形成され、前記増毛用毛髪１０は自毛１１の頭皮Ｈ側に固定されて、増毛用毛髪１０の抜け止めを直上位置で防止することができる。
【００７０】
このようにして、本実施形態における増毛方法では、毛巻き杆１ａ本体の先端６ａを当接するように頭皮Ｈ側に可及的に近づけて自毛結び目２２ａを形成するようにしている。毛巻き杆１ａは、毛巻き棒状体４ａの先端６ａが先鋭であるので、毛巻き棒状体４ａ上方では大きな結び目の輪を形成し、その後に徐々に下方にスライドさせて、毛巻き棒状体４ａの周面に小さい輪を作っていき、最後に先端６ａまで押下げて可及的に近い位置まで変位させて、この位置で自毛結び目２２ａのための輪を絞って結び目を形成できるように構成している。これにより、頭皮Ｈ側により近接した位置で自毛結び目２２ａを形成することができる。
【００７１】
また、図７に示すように、毛巻き杆１ａは、頭皮Ｈに対して斜めにした状態で当接するように頭皮Ｈ側に可及的に近接させるようにする。このようにして、毛巻き杆１ａの先端６ａが先鋭の形状を有していても頭皮Ｈを傷つけずに自毛結び目２２ａを頭皮Ｈ側で形成できるようにしている。
【００７２】
しかも、上記のように毛巻き杆１ａの先端６ａを当接するように頭皮Ｈ側に可及的に近接させて自毛結び目２２ａを形成するようにしているので、自毛結び目２２ａが増毛用毛髪１０の輪部１２の直上で形成され、しかも輪部１２に隣接して形成されるので、増毛用毛髪１０の輪部１２は自毛結び目２２ａを通過して上方に抜けにくくなる。
【００７３】
また、増毛用毛髪１０の輪部１２及び自毛結び目２２ａは、増毛用毛髪１０の毛髪部分１３で覆われた見にくい頭皮Ｈ側に位置している。したがって、増毛用毛髪１０を装着した状態でも増毛したことがわかりにくく見た目に自然な形にすることができる。
【００７４】
すなわち、毛巻き杆１ａ本体の先端６ａを当接するように頭皮Ｈ側に可及的に近づけて、毛巻き杆１ａの毛巻き棒状体４ａの周面で自毛１１を巻き付けて新たな自毛結び目２２ｂのための毛巻き部１７を形成する。
【００７５】
そして、毛巻き棒状体４ａの結び目形成部７ａにおいて、タッピ１４のフック部１６で係止しながら毛巻き部１７内に自毛１１先端を挿通して新たな自毛結び目２２ｂとしての結び目の輪を形成する。
【００７６】
その後、新たな自毛結び目２２ｂとしての結び目の輪を徐々に下方にスライドさせて、毛巻き棒状体４ａの周面に小さい輪を作っていき、毛巻き棒状体４ａの先端６ａまで押下げて自毛１１の根元の可及的に近い位置まで変位させて、この位置で新たな自毛結び目２２ｂのための輪を絞って結び目を形成する。
【００７７】
このスライドするときに、毛巻き杆１ａの毛巻き棒状体４ａの周面を自毛１１が滑りやすい状態にすることで、自毛結び目２ｂの輪を絞りながら結び目の形成が容易になる。すなわち、毛巻き杆１ａの毛巻き棒状体４ａの周面を自毛１１が滑りやすい状態にすると、自毛１１と毛巻き棒状体４ａとの摩擦が少なくなり、自毛結び目２２ｂの輪が棒状体４ａの先端６ａ側にスライドしやすくなる。したがって、毛巻き杆１ａ上で自毛１１を掴んで頭皮Ｈ側に少しの力で移動させるだけで、自毛結び目２２ｂの輪が頭皮Ｈ側にスライドしやすくなる。これにより、増毛用毛髪１０の輪部１２をスライドさせる作業性を向上させることができる。しかも、頭皮Ｈ側で自毛結び目２２ｂを形成しやすくなる。
【００７８】
または、前記のように自毛１１表面に潤滑剤を塗布してもよい。これにより、前記と同様に自毛１１と毛巻き棒状体４ａとの摩擦が少なくなり、自毛結び目２２ｂの輪を形成しやすくできる。
【００７９】
これにより、前回形成した結び目２２ａは頭皮Ｈより離れた自毛１１上にそのまま残存しているものの、新たな自毛結び目２２ｂは頭皮Ｈに近い増毛用毛髪１０の輪部１２の直上位置に形成することになる。
【００８０】
図８は、自毛１１が伸長する度に新たな自毛結び目を形成した状態を説明した説明図である。
図８に示すように、自毛が伸長する度に新たな自毛結び目を形成することで、所定間隔毎に複数の自毛結び目２２ｃ、２２ｄ、２２ｅ・・・・が形成されることになる。これにより、自毛１１にコシを持たせることができる。したがって、増毛用毛髪１０を結び付ける自毛１１を強化することができる。また、複数の自毛結び目２２ｃ、２２ｄ、２２ｅ・・・・を形成することで、増毛用毛髪１０との見分けが容易になり、増毛用毛髪１０を頭皮Ｈ側の戻す作業性が向上する。
【００８１】
さらに、増毛用毛髪１０を後で増やすことで、その全体をボリュームアップすることもできる。すなわち、増毛用毛髪１０の輪部１２が結び付けられた自毛１１にさらに新たな増毛用毛髪１０の輪部１２を装着することで、髪量を増やすこともできる。
【００８２】
このようにして、髪量が少ない人や髪の幅があまりない高齢者等が増毛することで、若返りするような見栄えにすることができる。
【００８３】
この結果、本実施形態における毛巻き杆１ａ及び増毛方法は、自然な形に増毛することができ、しかもその増毛が簡便で、自毛１１が伸びた後でもメンテナンスをすれば、増毛用毛髪１０を何度でも使用できて経済的である。
【符号の説明】
【００８４】
Ａ  着用者
Ｍ  溝部
Ｈ  頭皮
１ａ  毛巻き杆
２  把持部
４ａ  結び目形成部
１０  増毛用毛髪
１１  自毛
１２  輪部
１３  毛髪部分
１４  タッピ
１５  把持部
１６  フック部
１７  毛巻き部
１９  ダッカールピン
２０  ベラ部
２１  布
２２ａ  ２２ｂ  ２２ｃ・・・自毛結び目
【図１】
2014065981.tif 000003
【図２】
2014065981.tif 000004
【図３】
2014065981.tif 000005
【図４】
2014065981.tif 000006
【図５】
2014065981.tif 000007
【図６】
2014065981.tif 000008
【図７】
2014065981.tif 000009
【図８】
2014065981.tif 000010